(57)【要約】      （修正有）【課題】構成が簡単で安価に製作でき、低燃費であり、且つ給湯並びに返却配管との接離作業を容易に行なうことができ、とくに、作物育成状況に応じて移動させることで熱効率を高めることができるばかりでなく、二酸化炭素の排出削減にも寄与することができる施設栽培用暖房装置を提供する。【解決手段】施設栽培用暖房装置１を、エコ給湯器から補給される温水を貯留する貯湯タンクと、この貯湯タンクに連結される給湯管路９及び返却管路１０に、着脱自在に連通される循環配管である温水流入管１６及び冷却水排出管１７と、これら循環配管１６及び１７に連結されるフィン式熱交換ユニット２と、循環ポンプ４と、送風ファン３と、温度調節器５とを、方形のボックス内に収容して構成し、園芸ハウス内の任意箇所に設置された架台６に自由に移動可能に載置する。【選択図】図１
0003146438.tif 000002
【実用新案登録請求の範囲】
【請求項１】
エコ給湯器から補給される温水を貯留する貯湯タンクと、この貯湯タンクに連結される給湯管路及び返却管路に、着脱自在に連通される循環配管と、これらの配管に連結される熱交換ユニットと、循環ポンプと、送風ファンと、温度調節器とを、ハウス内に配置された架台上に載置可能なボックス内に収容してなることを特徴とする施設栽培用暖房装置。
【請求項２】
エコ給湯器の電源は、商用電源の深夜電力を使用することを特徴とする請求項１記載の施設栽培用暖房装置。
【請求項３】
給湯管路及び返却水管路と熱交換器内の循環配管との接続は、カップリング式であることを特徴とする請求項１又は請求項２記載の施設栽培用暖房装置。
【請求項４】
各配管は色分けして識別可能にされていることを特徴とする請求項１乃至請求項３のいずれかに記載の施設栽培用暖房装置。
【考案の詳細な説明】
【技術分野】
【０００１】
本考案は、農業用の温室やビニールハウス内を暖房するために使用される暖房装置に関し、とくにハウス内での移動を簡便に行なうことができる施設栽培用暖房装置に関するものである。
【背景技術】
【０００２】
農業分野において、温室やビニールハウス等の農業用ハウスにおいて施設栽培を行なう場合、冬季や夜間のハウス内の温度を作物の育成に適する温度に維持することが必要であると同時に、燃費削減及び省エネルギーの観点から燃料の使用量を削減することが要請される。しかし、従来の農業用ハウスの暖房システムとしては、ハウス内に電熱ヒーターを配設したもの、あるいは、ボイラー等の温風加熱装置から熱風を送風するものが主流であるが、いずれも多大なエネルギーを消費し、コストが嵩む。しかも、非常に熱効率が非常に悪く、過剰な二酸化炭素を排出するという地球環境への悪影響を与えることも否めない。
【０００３】
例えば、ガス燃料を燃焼させるバーナーを組込んだ温水ボイラーを使用するもの（特許文献１参照。）。ヒートパイプを使用するもの（特許文献２参照。）。排気孔を設けた複数個の袋状ダクトの端部を、送風機に連通する可撓性パイプにそれぞれ連結し、これらの袋状ダクトをカーテン様に移動させるようにしたハウスの冷暖房装置（特許文献３。）が提案されている。
【０００４】
【特許文献１】特開２００１−２９２６４０号公報
【特許文献２】特開２００３−１８５３６８号公報
【特許文献３】特開平１−１７１７０号公報
【考案の開示】
【考案が解決しようとする課題】
【０００５】
しかしながら、上記従来の装置は、いずれも高燃費及び低熱効率の問題を解決しているものとは言い難い、一方、化石燃料に頼らず、地熱、風力、太陽熱等、自然界からのエネルギーを得て利用することは理想的であるが、設備投資が高額になるというのが現状である。本考案は上記のような従来技術の課題に鑑み、構成が簡単で安価に製作でき、低燃費であり、且つ給湯並びに返却配管との接離作業を容易に行なうことができる。とくに、作物育成状況に応じて移動させることで熱効率を高めることができるばかりでなく、二酸化炭素の排出削減にも寄与することができる施設栽培用暖房装置を提供することを目的とする。
【課題を解決するための手段】
【０００６】
そこで本考案の施設栽培用暖房装置は、エコ給湯器から補給される温水を貯留する貯湯タンクと、この貯湯タンクに連結される給湯管路及び返却管路に、着脱自在に連通される循環配管と、これらの配管に連結される熱交換ユニットと、循環ポンプと、送風ファンと、温度調節器とを、ハウス内を自由に移動可能にされた架台を備えたボックス内に収容してなることを第１の特徴とし、エコ給湯器の電源は、商用電源の深夜電力を使用することを第２の特徴とし、給湯管路及び返却水管路と熱交換器内の循環配管との接続は、カップリング式であることを第３の特徴とし、各配管は色分けして識別可能にされていることを第４の特徴とする。
【考案の効果】
【０００７】
本考案によれば、以下の優れた効果がある。
（１）構造が簡単で、安価に製作でき、経済的に設置できる。
（２）直接的に化石燃料を使用しないので、低燃費であり、且つ二酸化炭素の排出削減に寄与する。
（３）カップリング継手により給湯配管との接離作業を容易に行なうことができる。
（４）作物育成状態の必要に応じて移動させることで熱効率を高めることができる。
【考案を実施するための最良の形態】
【０００８】
以下、本考案の実施の形態を図面に示す実施例に基づいて説明する。
図１は本考案に係る施設栽培用暖房装置を模式的に示す側面図、図２は本考案に係る施設栽培用暖房装置を園芸ハウスに設置した状態を模式的に示す側面図である。
【０００９】
図１及び図２に示すように、本考案の施設栽培用暖房装置１は、概略、エコ給湯器１１から補給される温水を貯留する貯湯タンク１３と、この貯湯タンク１３に連結される給湯管路９及び返却管路１０に、着脱自在に連通される循環配管の温水流入管１６及び冷却水排出管１７と、これら循環配管１６及び１７に連結されるフィン式熱交換ユニット２と、循環ポンプ４と、送風ファン３と、温度調節器（サーモスタット）５とを、方形のボックス内に収容して構成されている。園芸ハウス１５内の任意箇所に設置された架台６に自由に移動可能に載置される。尚、装置本体は、軽量で、且つ水、化学肥料、土などの粉塵による腐食や劣化に耐える素材で形成するのが望ましく、例えば、アルミニウム・塩化ビニール等を使用するのがよい。
【００１０】
エコ給湯器の電源は、商用電源の深夜電力を使用することにより、夜間、貯湯タンク１３には約７０℃の温水が貯留される。これにより燃費を格段に削減でき、二酸化炭素排出量の削減にも寄与することができる。貯湯タンク１３に貯留された温水は、園芸ハウス１５内に敷設された給湯管路９に供給され、施設栽培用暖房装置１の循環配管である温水流入管９を通ってフィン式熱交換ユニット２内に流入する。そして、送風ファン３を可動させることにより、フィン式熱交換ユニット２から温風がハウス内に送風される。フィン式熱交換ユニット２内で冷却された温水は、排出管１７を通って返却管路１０に排出され貯湯タンク１３に返送される。この送風ファン３の可動は温度調節器（サーモスタット）５により制御され、例えば、ハウス１５内が要求された室温になると停止する。尚、図中１４は貯湯タンク１３への補水管である。
【００１１】
ここで、給湯管路９及び返却管路１０と装置内の循環配管１６及び１７との接続は、雌雄嵌合型のワンタッチ式カップリング継手７を用いることで、極めて簡便に接続することができ、離反も同様に簡便にできる。したがって、施設栽培用暖房装置１を作物の育成状態などに応じて園芸ハウス１５内を移動させる際の装脱も容易に行なうことができる。図中、１ａは牽吊用のフックであり、７は各々の配管の開閉を司るゲート弁である。
【００１２】
また、各配管は色分けして識別可能にするとよい。例えば、給湯管路９と温水流入管１６は「赤」、返却管路１０と冷却水排出管１７は「白」に彩色すれば、配管の接続作業を一瞥で迅速且つ正確に行なうことができる。
【産業上の利用可能性】
【００１３】
尚、本考案の要旨は、ハウス内の作物育成状況応じて移動可能で、且つ安価な深夜電力をエネルギーとして利用する暖房装置を提供することにあり、本考案の主たる構成要件を有する限り、上記実施例に限定されることなく種々の応用変形が可能であることは言うまでもない。例えば、本実施例では、熱交換器をフィン式としたが、ヒートパイプ式でもよい。
【図面の簡単な説明】
【００１４】
【図１】本考案に係る施設栽培用暖房装置を模式的に示す側面図である。
【図２】本考案に係る施設栽培用暖房装置を園芸ハウスに設置した状態を模式的に示す側面図である。
【符号の説明】
【００１５】
１    熱交換器
１ａ  吊りフック
２    フィン式熱交換ユニット
３    送風ファン
４    循環ポンプ
５    温度調節器（サーモスタット）
６    架台
７    カップリング継手
８    ゲート弁
９    給湯管路（ＨＳ）
１０  返却管路（ＨＲ）
１１  エコ給湯器
１２  温水送出ポンプ
１３  貯湯タンク
１４  補水管
１５  園芸ハウス
１６  循環配管（温水流入管）
１７  循環配管（冷却水排出管）
【図１】
0003146438.tif 000003
【図２】
0003146438.tif 000004